(57)【要約】【課題】窓シャッターを建物外壁に取り付ける固定ねじの頭部を覆うねじカバー材を、火災時に早期に外れることがないようにする。【解決手段】建物外壁８にねじ６０で固着して取り付ける取付部４１と、固定ねじ２３の頭部２３ａを覆う覆い部４２と、水密材取付部４３を有したカバー４０と、その水密材取付部４３に取り付けた水密材５０を備えたねじカバー材３０で、取付部４１を固定ねじ２３とは別のねじ６０で固着して取り付けるので、火災時に早期に外れることがない。【選択図】図４
2014185473.tif 000002
【特許請求の範囲】
【請求項１】
窓シャッターを建物外壁に取り付ける固定ねじの頭部を覆うねじカバー材であって、
前記カバー材は、カバー及び水密材を備え、
前記カバーは、建物外壁に取り付けるための取付部と、
前記取付部から延出し、前記固定ねじの頭部を覆う覆い部と、
前記覆い部に設けられた水密材取付部とを有し、
前記水密材は、前記覆い部の水密材取付部に取り付けて前記固定ねじの頭部の防水を担保することを特徴とするねじカバー材。
【請求項２】
前記取付部の覆い部と反対側にシール材受け部を有している請求項１記載のねじカバー材。
【請求項３】
前記カバーは、シャッター枠の枠取付部に当接して位置決めする位置決め部を有する請求項１又は２記載のねじカバー材。
【請求項４】
シャッター枠の枠取付部を建物外壁に固定ねじで固着して建物外壁に取り付けた窓シャッターであって、
前記建物外壁に請求項１又は２又は３記載のねじカバー材を、そのカバーが枠取付部と隣接し、前記カバーの覆い部が固定ねじの頭部を覆い、前記水密材がシャッター枠の枠本体と対向するように取り付けたことを特徴とする窓シャッター。
【発明の詳細な説明】
【技術分野】
【０００１】
本発明は、窓シャッターを建物外壁に取り付ける固定ねじを覆うねじカバー材、及びそのねじカバー材を用いて固定ねじを覆うように建物外壁に取り付けた窓シャッターに関する。
【背景技術】
【０００２】
窓シャッターは建物外壁に固定ねじにより固着して取り付けることがある。
このために、固定ねじの頭部が外部に露出して見えるので、美観を損なうおそれがある。
このことを解消するために、固定ねじの頭部をカバー材で覆うことで、美観を損なうことがないようにした窓シャッターが提案されている。
例えば、特許文献１に開示したように、窓シャッターの枠取付部を固定ねじで建物外壁に固着して取り付け、その窓シャッターの枠取付部の表面に、カバー受けをねじで固着して取り付け、このカバー受けにカバーを係合して取り付けることで、固定ねじ及びカバー受けをカバーで覆うようにした窓シャッターが提案されている。
【先行技術文献】
【特許文献】
【０００３】
【特許文献１】特開２００２−８９１５２号公報
【発明の概要】
【発明が解決しようとする課題】
【０００４】
特許文献１に開示された窓シャッターは、カバーがカバー受けに係合して着脱可能に取り付けられているので、火災発生時にカバーが熱により変形又は軟化して早期に外れ、固定ねじの頭部が外部に露出し、火炎が固定ねじの頭部に直接に触れることで、固定ねじが溶融し、建物外壁及び建物躯体に貫通孔が発生したり、建物外壁と枠取付部との間に隙間が発生し、その隙間から室内側に火炎や熱風が入り込み、室内側が早期に発炎する恐れがある。
【０００５】
本発明の目的は、火災時に早期に外れることがないようにしたねじカバー材及びそのねじカバー材を用いて固定ねじを覆うようにした窓シャッターとすることである。
【課題を解決するための手段】
【０００６】
本発明のねじカバー材は、窓シャッターを建物外壁に取り付ける固定ねじの頭部を覆うねじカバー材であって、
前記カバー材は、カバー及び水密材を備え、
前記カバーは、建物外壁に取り付けるための取付部と、
前記取付部から延出し、前記固定ねじの頭部を覆う覆い部と、
前記覆い部に設けられた水密材取付部とを有し、
前記水密材は、前記覆い部の水密材取付部に取り付けて前記固定ねじの頭部の防水を担保することを特徴とするねじカバー材である。
【０００７】
本発明のねじカバー材は、前記取付部の覆い部と反対側にシール材受け部を有しているものにできる。
このようにすれば、取付部と建物外壁とに渡ってシール材を設けて取付部と建物外壁との間から雨水が浸入しないようにできる。
【０００８】
本発明のねじカバー材は、前記カバーは、シャッター枠の枠取付部に当接して位置決めする位置決め部を有するものにできる。
このようにすれば、カバーを枠取付部を基準として位置決めして取り付けできる。
【０００９】
本発明の窓シャッターは、シャッター枠の枠取付部を建物外壁に固定ねじで固着して建物外壁に取り付けた窓シャッターであって、
前記建物外壁に請求項１又は２又は３記載のねじカバー材を、そのカバーが枠取付部と隣接し、前記カバーの覆い部が固定ねじの頭部を覆い、前記水密材がシャッター枠の枠本体と対向するように取り付けたことを特徴とする窓シャッターである。
【発明の効果】
【００１０】
本発明のねじカバー材によれば、窓シャッターを建物外壁に取り付ける固定ねじの頭部をカバーの覆い部で覆うことができるので、美観を損なうことがない。
また、カバーはねじで固着して建物外壁に取り付けられるので、火災時にカバーが熱により変形又は軟化して早期に外れることがなく、枠取付部分から火炎や熱風が室内側に入り込み、室内側が早期に発炎することがないようにできる。
また、固定ねじの頭部周辺を水密材で防水することができる。
【図面の簡単な説明】
【００１１】
【図１】窓シャッターの外観図である。
【図２】窓シャッターの縦断面図である。
【図３】窓シャッターの縦枠部分の横断面図である。
【図４】ねじカバー材の拡大断面図である。
【図５】上枠と縦枠のコーナー部の外観斜視図である。
【図６】上枠と縦枠のコーナー部の内観斜視図である。
【発明を実施するための形態】
【００１２】
図１〜図３に示すように、窓シャッター１は、シャッター枠２と、シャッター枠２の上部寄りに設けたシャッターケース３と、シャッター枠２の下部寄りに設けた左右のガイドレール４，４と、シャッターケース３内に設けた巻取部５を回転することで巻き取り、繰り出しされてガイドレール４に沿って上下に移動するシャッターカーテン６を備えた窓シャッターである。
そして、シャッター枠２が建物躯体７の外側に設けてある建物外壁８に取り付けられ、建物躯体７の開口及び、その開口に取り付けたサッシ窓９を窓シャッターで覆っている。
【００１３】
シャッター枠２は、ルーフ板２０と上枠２４と下枠２１と左右の縦枠２２で形成され、ルーフ板２０と下枠２１と左右の縦枠２２は枠本体２０ａ，２１ａ，２２ａと、その枠本体２０ａ，２１ａ，２２ａの見込み方向室内側に設けた見付け方向外側に延出した枠取付部２０ｂ，２１ｂ，２２ｂを備え、この各枠取付部２０ｂ，２１ｂ，２２ｂを建物外壁８に接し、固定ねじ２３を建物外壁８を貫通して建物躯体７に螺合することで固着することで、シャッター枠２を建物外壁８に取り付けている。
見込み方向とは図２で紙面の左右方向で、図３で紙面の上下方向である。見付け方向とは図２、図３で建物外壁８の表面に沿う方向で、外側とは枠本体２０ａ，２１ａ，２２ａと反対側で、枠本体２０ａ，２１ａ，２２ａ側が内側である。
【００１４】
建物外壁８には本発明に係るねじカバー材３０が各枠取付部２０ｂ，２１ｂ，２２ｂと隣接して取り付けてある。
このねじカバー材３０は、各枠取付部２０ｂ，２１ｂ，２２ｂを固着した固定ねじ２３の頭部２３ａを覆うカバー４０と、このカバー４０に取り付けられて固定ねじ２３の頭部２３ａ周辺を防水する水密材５０を備えている。
【００１５】
カバー４０は、建物外壁８に取り付けるための取付部４１と、この取付部４１から見付け方向に延出し、固定ねじ２３の頭部２３ａを覆う覆い部４２と、この覆い部４２の延出方向の先端部に設けられた水密材取付部４３を有している。
【００１６】
水密材５０は、カバー４０の水密材取付部４３に取り付けられ、覆い部４２の延出方向の先端部よりも突出して枠本体２０ａ，２１ａ，２２ａと対向し、カバー４０の覆い部４２と枠本体２０ａ，２１ａ，２２ａとの間から固定ねじ２３の頭部２３ａに雨水が吹き込んだり、流れ込むことを抑制し、固定ねじ２３の頭部２３ａ周辺を防水している。
水密材５０は枠取付部２０ｂ，２１ｂ，２３ｂに接して固定ねじ２３の頭部２３ａ周辺を防水するものとしても良く、この水密材であれば覆い部４２から突出しなくとも良い。
【００１７】
ねじカバー材３０は、カバー４０の取付部４１を建物外壁８の表面に接し、その取付部４１からねじ６０を建物外壁８を貫通して建物躯体７に螺合することで、取付部４１よりも覆い部４２が枠本体寄り（つまり、見付け方向内側）となり、水密材５０が枠本体と対向するように建物外壁８に取り付ける。
【００１８】
これにより、覆い部４２が固定ねじ２３の頭部２３ａよりも見込み方向室外側で、見付け方向内側まで突出し、覆い部４２で固定ねじ２３の頭部２３ａを覆うので、その頭部２３ａが見えないから美観を損なうことがない。
【００１９】
また、カバー４０はねじ６０で固着して取り付けてあるので、火災時に熱により変形又は軟化して早期に外れることがなく、枠取付部２０ｂ，２１ｂ，２２ｂを固着している固定ねじ２３の頭部２３ａが早期に露出して固定ねじ２３が早期に溶融することがないから、火災時に火炎や熱風が枠取付部２０ｂ，２１ｂ，２２ｂの取付部分から室内側に流れ込み、室内側が早期に発炎することがない。
【００２０】
また、水密材５０が枠本体２０ａ，２１ａ，２２ａと対向し、枠本体とカバー４０の覆い部４２との間から固定ねじ２３の頭部２３ａに雨水が吹き込んだり、流れ込むことを抑制するから、固定ねじ２３の頭部２３ａ周辺を防水できる。
つまり、カバー４０を建物外壁８に取り付けることで、固定ねじ２３に対する防水性が劣ることが懸念されるが、水密材５０を取り付けたことで固定ねじ２３の防水も担保できる。
なお、縦枠２２の枠取付部２３ｂと隣接して取り付けたねじカバー材３０は、その水密材５０が縦枠２２の枠本体２２ａと接触しているが、上枠２０、下枠２１の枠取付部２０ｂ，２１ｂと隣接して取り付けたねじカバー材３０は、その水密材５０が上枠２０、下枠２１の枠本体２０ａ，２１ａと隙間を置いて対向している。
なお、接触させても良い。
【００２１】
ねじカバー材３０の詳細を図４に基づいて説明する。図４は縦枠２２の枠取付部２２ｂと隣接して取り付けたねじカバー材３０であるが、ルーフ板２０、下枠２１の枠取付部２０ｂ，２１ｂと隣接して取り付けたねじカバー材３０も同様である。
カバー４０の取付部４１は、見込み方向に対向し見付け方向に向かう取付壁４１ａ、外側壁４１ｂと、見付け方向に対向し見込み方向に向かい取付壁４１ａの見付け方向両側と外側壁４１ｂの見付け方向両側を連結する一対の連結壁４１ｃ，４１ｃとでホロー４１ｄを有する断面形状である。
外側壁４１ｂに固定ねじ２３が貫通する穴（図示せず）が形成され、取付壁４１ａに固定ねじ２３が挿通するねじ挿通穴４１ｅが形成してある。
【００２２】
このように、取付部４１はホロー４１ｄを有するから熱により変形し難く、火災時にカバー４０が脱落せずに長期に渡って取付状態を維持できる。
ねじ６０は外側壁４１ｂの穴から取付壁４１ａのねじ挿通孔４１ｅを挿通して建物躯体７に螺合され、その頭部６０ａが取付壁４１ａの内面に接して取付壁４１ａを建物外壁８に固着しているので、連結壁４１ｃや外側壁４１ｄがねじ６０の締付力で変形などすることがない。
なお、外側壁４１ｂの穴は図示しないキャップで閉塞されている。
【００２３】
覆い部４２は、取付部４１の外側壁４１ｂにおける見付け方向内側に設けられ、見付け方向内側（枠本体２２ａ）に向けて延出した覆い板４２ａを有し、この覆い板４２ａは取付壁４１ａよりも見込み方向室外側に位置して固定ねじ２３の頭部２３ａよりも見込み方向室外側で、その頭部２３ａよりも見付け方向内側まで連続している。
【００２４】
このようであるから、カバー４０を枠取付部２２ｂと隣接して建物外壁８に取り付ける際に、取付部４１の一方の連結壁４１ｃが枠取付部２２ｂの見付け方向先端部に当接してカバー４０の見付け方向位置が位置決めされる。
つまり、カバー４０は枠取付部２２ｂの見付け方向先端部に当接して位置決めする位置決め部（一方の連結壁４１ｃ）４０ａを有している。
【００２５】
水密材取付部４３は、覆い板４２ａの見付け方向先端部の内面に形成した見込み方向室内側に開口した凹条溝４３ａである。
水密材５０は、凹条溝４３ａに嵌合して取り付けられる取付片５１と、この取付片５１と連結したシール片５２を有し、そのシール片５２が見付け方向内側に向かうように取付片５１を凹条溝４３ａに嵌合して取り付ける。
【００２６】
取付部４１の見付け方向外側部にシール材受け部４４を有し、このシール材受け部４４と他方の連結壁４１ｃと建物外壁８とに渡ってシール材、例えば湿式シール材を装着して取付部４１（取付壁４１ａ）と建物外壁８の表面との間を水密できるようにしてある。
シール材受け部４４は、取付部４１の外側壁４１ｂの見付け方向外側に設けられ、見付け方向外側に延出した外側片４４ａと、この外側片４４ａの見付け方向先端部に設けられ、見込み方向室内側に延出した内向片４４ｂとで鉤形状となっている。
【００２７】
ねじカバー材３０は枠取付部２２ｂの長手方向全長に渡って取り付けられる。
【００２８】
図５に示すように、ルーフ板２０の枠取付部２０ｂと隣接して取り付けた横向きのねじカバー材３０と縦枠２２の枠取付部２２ｂと隣接して取り付けた縦向きのねじカバー材３０とは、そのカバー４０相互をコーナーキャップ７０で連続し、コーナーキャップ７０の透孔７１からビスを建物外壁８を貫通して建物躯体７に螺合することでコーナーキャップ７０を建物外壁８に取り付けている。
【００２９】
図６に示すように、コーナーキャップ７０は横向きのカバー４０のシール材受け部４４と縦向きのカバー４０のシール材受け部４４を連続し、シール材を連続して装着できるようにしてある。
なお、下枠２１の枠取付部２１ｂと隣接して取り付けた横向きのねじカバー材３０と縦枠２２の枠取付部２２ｂと隣接して取り付けた縦向きのねじカバー材３０も同様にコーナーキャップ７０で連続している。
【符号の説明】
【００３０】
１…窓シャッター、２…シャッター枠、７…建物躯体、８…建物外壁、２０…ルーフ板、２０ａ…枠本体、２０ｂ…枠取付部、２１…下枠、２１ａ…枠本体、２１ｂ…枠取付部、２２…縦枠、２２ａ…枠本体、２２ｂ…枠取付部、２３…固定ねじ、２３ａ…頭部、３０…ねじカバー材、４０…カバー、４０ａ…位置決め部、４１…取付部、４２…覆い部、４３…水密材取付部、４４…シール材受け部、５０…水密材、６０…ねじ。
【図１】
2014185473.tif 000003
【図２】
2014185473.tif 000004
【図３】
2014185473.tif 000005
【図４】
2014185473.tif 000006
【図５】
2014185473.tif 000007
【図６】
2014185473.tif 000008